(57)【要約】  通信システムにおいて、メッセージがモバイル端末から、共通伝送チャンネル上の無線アクセスネットワークに送られ、当該メッセージが、無線アクセスネットワークの１つ以上のアクセスエンティティと結びついて情報を含んでいる。無線アクセスネットワークに送られる当該情報は、モバイル端末に保存されたデフォルト・レポート構成に基づいている。【選択図】図２
2009540722.tif 000002
【特許請求の範囲】
【請求項１】
モバイル端末からのメッセージを共通伝送チャンネル上の無線アクセスネットワークに送るステップを含む、通信システムにおける方法であって、
前記メッセージが前記無線アクセスネットワークの１つ以上のアクセスエンティティと結びついた情報を含み、
前記無線アクセスネットワークに送られる前記情報が前記モバイル端末に保存されたデフォルト・レポート構成に基づく、方法。
【請求項２】
前記情報が１つ以上の測定結果を含み、各測定結果が、前記モバイル端末とアクセスエンティティとの間の無線信号伝達に係る測定パラメータの値を規定する、請求項１に記載の方法。
【請求項３】
前記測定パラメータが、ＲＳＣＰ（Received Signal Code Power）、ＳＩＲ（Signal to Interference Ratio）あるいはＯＴＤ(Observed Time Difference)を含む、請求項２に記載の方法。
【請求項４】
前記測定パラメータが、前記モバイル端末にサービスする第１のアクセスエンティティ及び／又は、前記第１のアクセスエンティティに隣接する１つ以上のさらなるアクセスエンティティに関する、請求項２又は請求項３に記載の方法。
【請求項５】
前記情報が、サービスするアクセスエンティティに関するＲＳＣＰの第１の測定値を含む、請求項２ないし４のいずれか１項に記載の方法。
【請求項６】
前記情報が、さらに、少なくとも１つのＲＳＣＰのさらなる測定値を含み、前記さらなる測定値は、前記第１のアクセスエンティティに隣接する１つ以上のアクセスエンティティに関する、請求項２ないし５のいずれか１項に記載の方法。
【請求項７】
前記情報が、さらに、Ｅｃ／Ｎｏの１つ以上のさらなる測定値を含み、各さらなる測定値は、前記第１のアクセスエンティティに隣接するアクセスエンティティに関する、請求項２ないし６のいずれか１項に記載の方法。
【請求項８】
前記情報が、さらに、ＳＦＮ−ＳＦＮ  ＯＴＤタイプ１の１つ以上のさらなる測定値を含み、各さらなる測定値は、前記第１のアクセスエンティティに隣接するアクセスエンティティに関する、請求項２ないし７のいずれか１項に記載の方法。
【請求項９】
前記モバイル端末が前記無線アクセスネットワークから前記モバイル端末に送信された制御メッセージを読む前に、前記メッセージが送られ、
前記制御メッセージが、前記無線アクセスネットワークの１つ以上のアクセスエンティティと結びついた情報をレポートするための要求レポート構成を規定する、請求項１ないし８のいずれか１項に記載の方法。
【請求項１０】
前記モバイル端末が前記無線アクセスネットワークから制御メッセージを受信する前に、前記モバイル端末が前記メッセージを送る、請求項９に記載の方法。
【請求項１１】
前記制御メッセージが、システム情報ブロックタイプ１１を含む、請求項９又は請求項１０に記載の方法。
【請求項１２】
モバイル端末が前記メッセージを送る前に、前記無線アクセスネットワークから前記モバイル端末に指標を送るステップであって、
前記モバイル端末は、前記モバイル端末が制御メッセージを読む前に前記メッセージを送ることができることを前記指標が規定する、ステップをさらに含む、請求項９ないし１１のいずれか１項に記載の方法。
【請求項１３】
無線アクセスネットワークは、ＵＴＲＡＮ（Universal Mobile Telecommunications System Terrestrial Radio Access Network）を備える、請求項１ないし１２のいずれか１項に記載の方法。
【請求項１４】
モバイル端末が、ランダムアクセス・チャネルを使って、メッセージを送る、請求項１ないし１３のいずれか１項に記載の方法。
【請求項１５】
前記メッセージが、前記無線アクセスネットワークへの接続要求、コアネットワーク・メッセージ、測定レポート・メッセージ、または位置更新メッセージを含む、請求項１ないし１４のいずれか１項に記載の方法。
【請求項１６】
前記モバイル端末と前記無線アクセスネットワークとの間の専用の物理的伝送チャンネルを確立する前に、前記モバイル端末が前記メッセージを送る、請求項１ないし１５のいずれか１項に記載の方法。
【請求項１７】
メッセージを共通伝送チャンネル上の無線アクセスネットワークに送るように構成されたモバイル端末であって、
前記メッセージが前記無線アクセスネットワークの１つ以上のアクセスエンティティと結びついた情報を含み、
前記モバイル端末が、前記モバイル端末に保存されたデフォルト・レポート構成に基づいて、前記情報を前記無線アクセスネットワークに送るように構成される、モバイル端末。
【請求項１８】
前記モバイル端末が、さらに、各パラメータが前記モバイル端末とアクセスエンティティとの間の無線信号伝達に関連する１つ以上のパラメータを測定するように構成され、
前記情報が、前記測定の１つ以上の結果を含む、
請求項１７に記載のモバイル端末。
【請求項１９】
前記モバイル端末が、前記無線アクセスネットワークから前記モバイル端末に送信された制御メッセージを読む前に、前記メッセージを送るように構成され、
前記制御メッセージが、前記無線アクセスネットワークの１つ以上のアクセスエンティティと結びついた情報をレポートするための要求レポート構成を規定する、
請求項１７又は請求項１８に記載のモバイル端末。
【請求項２０】
無線アクセスネットワークにおけるノードであって、
共通伝送チャンネル上のモバイル端末からメッセージを受信して、処理するように構成されるノードであり、
前記メッセージが前記無線アクセスネットワークの１つ以上のアクセスエンティティと結びついた情報を含み、
前記情報が、モバイル端末に格納されているデフォルト・レポート構成に基づいている、ノード。
【請求項２１】
前記ノードが、さらに、前記モバイル端末が前記メッセージを送信したあとに、前記モバイル端末に制御メッセージを送るように構成され、
前記制御メッセージが、前記無線アクセスネットワークの１つ以上のアクセスエンティティを結びついた情報をレポートするための要求されたレポート構成を規定する、
請求項２０に記載のノード。
【請求項２２】
モバイル端末が前記メッセージを送る前に、前記モバイル端末に指標を送るようにさらに構成され、
前記モバイル端末は、前記モバイル端末が制御メッセージを読む前に前記要求を送ることができることを前記指標が規定する、
請求項２０又は請求項２１に記載のノード。
【請求項２３】
メッセージを共通伝送チャンネル上の無線アクセスネットワークに送るように構成されたモバイル端末であって、前記メッセージが前記無線アクセスネットワークの１つ以上のアクセスエンティティと結びついた情報を含み、前記モバイル端末が、前記モバイル端末に格納されたデフォルト・レポート構成に基づいて、前記情報を前記無線アクセスネットワークに送るように構成されている、モバイル端末と、
前記メッセージを受信して、処理するように構成される無線アクセスネットワーク内のノードと、
を備える通信システム。
【請求項２４】
モバイル端末中のプロセッサにより実行されたときに、前記モバイル端末に、共通伝送チャンネル上の無線アクセスネットワークへメッセージを送るようにさせる命令セットであって、
前記メッセージが前記無線アクセスネットワークの１つ以上のアクセスエンティティと結びついた情報を含み、前記情報が、モバイル端末に格納されているデフォルト・レポート構成に基づいている、命令セット、
を備える、コンピュータ・プログラム・プロダクト。
【請求項２５】
無線アクセスネットワークに送られるべき少なくとも1タイプの情報を定めているデフォルト・レポート構成を格納する格納手段であって、前記情報が前記無線アクセスネットワークの１つ以上のアクセスエンティティと結びついている、格納手段と、
共通伝送チャンネル上の前記無線アクセスネットワークにメッセージを送るための伝達手段であって、前記要求がデフォルト・レポート構成で規定されるタイプの情報を含む、伝達手段と、
を備えるモバイル端末。
【請求項２６】
モバイル端末で使用するための集積回路であって、
集積回路が、前記モバイル端末に、共通伝送チャンネル上の無線アクセスネットワークへメッセージを送るようにさせるのに適合し、
前記メッセージが、無線アクセスネットワークの１つ以上のアクセスエンティティと結びついた情報を含み、前記情報が、モバイル端末に格納されているデフォルト・レポート構成に基づいている、集積回路。
【発明の詳細な説明】
【技術分野】
【０００１】
本発明は、テレコミュニケーション・システムの領域に関し、詳しくは、特にアップリンク接続の確立の間のモバイル端末から無線アクセスネットワークへのアクセスエンティティと結びついたレポート情報に関する。
【背景技術】
【０００２】
通信システムは、ユーザ機器及び／又は通信システムと関連した他のノードなど、２つ以上のエンティティ間の通信セッションを可能にする設備とみなすことができる。通信は、たとえば、音声、データ、マルチメディアなどの通信を含むことができる。
【０００３】
無線通信をユーザ機器に提供する通信システムが、知られている。セルラー通信システムは、無線アクセスエンティティ及び／又は無線サービスエリアの使用に基づく通信システムである。アクセスエンティティは、典型的には、セルと呼ばれる。セルラー通信システムの例には、ＧＳＭ(Global System for Mobile communications)または、例えば、ＧＰＲＳ(General Packet Radio Service)などの種々のＧＳＭベースのシステム、ＡＭＰＳ(American Mobile Phone System)、ＤＡＭＰＳ(Digital AMPS)、ＷＣＤＭＡ(Wideband Code Division Multiple Access)、ＵＭＴＳ(Universal Mobile Telecommunications System)におけるＴＤＭＡ／ＣＤＭＡ(Time Division Multiple Access / Code Division Multiple Access)、ＣＤＭＡ２０００、ｉＰｈｏｎｅなどが含まれる。
【０００４】
セルラーシステムにおいて、無線基地局（ＢＴＳ）は、セルのカバーするエリアの中で、空中や無線インターフェースを介して移動局（ＭＳ）や同様の無線ユーザ機器（ＵＥ）にサービスする無線通信機能を提供する。セルの概略のサイズと形状が分かっているので、セルを地理的なエリアと結びつけることが可能である。セルのそれぞれが、適切な制御装置により制御可能である。
【０００５】
セルシステムは典型的には、位置を変化させるユーザ機器（モバイルユーザ）との通信をサポートする。モバイルユーザの通信のサポートは、あるセルから別のセルへの既存の接続の取り扱いを含み得る。少なくとも、新しいセル内のモバイルユーザに対する呼ないし通信のルーティングは、セルシステムにおいて典型的にサポートされる。
【０００６】
セルラーシステムに基づく無線アクセスネットワーク（ＲＡＮ）において、通信は、ダウンリンクでネットワークからモバイル端末またはユーザ機器（ＵＥ）に対して、アップリンクでＵＥからネットワークに対して行われる。
【０００７】
ある通信システムにおいては、２つのタイプの伝送チャンネル、すなわち、専用チャンネルと共通チャンネルを提供できる。共通チャンネルは、セルにおけるすべてユーザあるいはユーザのグループで分割される資源であり、専用チャンネルは、定義により、単一のユーザのために予約されている。
【０００８】
典型的なシステムにおける共通チャンネルの例は、ＲＡＣＨ（random access channel）である。ＲＡＣＨは、ＰＲＡＣＨ（Physical Random Access Channel）上にマップされる。ＰＲＡＣＨは、アップリンク共通制御情報、すなわち、ＲＲＣ(radio resource control)接続を設定するための要求などの、ＣＣＣＨ（Common Control Channel）を伝える。さらに、専用制御情報、すなわち、ＵＥとネットワークに間で、ＲＲＣ接続設定手続きを経て確立した、ＤＤＣＨ(Dedicated Control Channel)を伝えることもできる。ＲＡＣＨは、さらに、少量のアップリンク・パケット・データのような専用のユーザ情報、すなわち、ＤＴＣＨ（Dedicated Traffic Channel）を送るために使われる。
【０００９】
このように、ＲＲＣ接続設定手続きの間、ＲＡＣＨは、ＲＡＮにアクセスを始めるためにモバイル端末により使用され得る。しかしながら、モバイル端末がＲＡＮにＲＲＣ接続設定要求を送ることができる前に、当該モバイル端末がＲＡＮからブロードキャストされた特定のシステム情報を受信し処理したにちがいないということが典型的には要求される。当該システム情報は、通常、ブロックにブロードキャストされ、各ブロックが同じ性質のシステム情報要素を集めグループ化する。
【００１０】
システム情報は、ＲＡＮが接続を始めるためにモバイル端末からどのようなタイプの情報を要求するのかという定義を含むことができる。セルラーシステムにおいて、この情報は、たとえば、モバイル端末と通信システムの異なるアクセスエンティティとの関係に関するものであり得る。
【００１１】
当該情報は、ＲＡＮが、モバイル端末にサービスする最適なアクセスエンティティを選ぶこと、モバイル端末に送信する場合に最初のダウンリンク電力を計算すること、及び／又は、ターミナル装置を異なる制御状態に移行する場合に、アクティブ・セットを選ぶことを可能にすることができる。たとえば、３Ｇ  ＷＣＤＭＡパケット・データ・モバイルネットワークにおいて、ターミナルは、ＣＥＬＬＪＤＣＨ（ターミナルがアクセスネットワークへの専用チャネルを持つ）、ＣＥＬＬ＿ＦＡＣＨ (Forward Access Channel、端末がセルレベルで追跡されるが他の端末とアクセスチャンネルを共有する）、ＣＥＬＬ＿ＰＣＨ(Paging Channel、端末がセルレベルで追跡され、パケットデータを送受信する前にページされて、より高い電力制御状態にシフトされる必要がある）、のような、多数のＲＲＣ(radio resource control)状態の１つをとることができる。セルレポート情報は、モバイル端末をアクティブなＣＥＬＬ＿ＤＣＨ状態にシフトする場合に、適当な設定を選ぶために、ＲＡＮに要求され得る。
【００１２】
このように、システムは、モバイル端末が特定の測定結果をＲＡＮに報告する必要があることを規定することができ、当該測定は、モバイル端末と種々のアクセスエンティティとの間の信号伝送に結びついた性質に関係するものである。システム情報を受信した後に、モバイル端末は、システム情報で特定されている要求レポート構成に従って、接続要求メッセージ中に、測定結果などの要求データをＲＡＮに送ることができる。
【００１３】
この方法における問題点は、モバイル端末が、接続要求メッセージを送る前に、モバイル端末がＲＡＮに連絡できない時間に特定のシステム情報を読む必要性が、設定手続きにかなりの遅延をもたらす可能性があることである。同様の問題は、モバイル端末が、モバイル端末とＲＡＮ間の専用の物理チャネルが確立される前に、ＲＡＣＨのような共通伝送チャンネル上のＲＡＮに他のタイプのメッセージ（例えば、測定レポート・メッセージ、セル更新など場所の更新、あるいはコアネットワーク・メッセージ）を送る必要がある場合に起こる。
【００１４】
この問題を解決する1つの可能なアプローチは、システム情報を読む前に、モバイル端末が共通伝送チャンネル上に接続要求メッセージまたは他のメッセージタイプを送ることができるようにすることである。しかしながら、この場合、要求されたセル情報を、どのようにモバイル端末からＲＡＮに提供すべきかについては、明らかでない。
【００１５】
本発明の実施形態は、上記の問題の１つ以上について扱うことを目的とする。特に、本発明は、共通伝送チャンネルの上でモバイル端末からＲＡＮへのアクセスエンティティと関連した情報を（例えば接続開始手順の間に）レポートするための改善された方法を提供することを目的とする。
【００１６】
したがって、1つの実施形態は、通信システムにおける、モバイル端末からのメッセージを、共通伝送チャンネル上の無線アクセスネットワークに送るステップであって、当該メッセージが当該無線アクセスネットワークの１つ以上のアクセスエンティティと結びついた情報を含み、当該無線アクセスネットワークに送られる情報が当該モバイル端末に保存されたデフォルト・レポート構成に基づく、ステップを含む方法を提供する。
【００１７】
別の実施形態は、共通伝送チャンネル上の無線アクセスネットワークにメッセージを送るように構成されたモバイル端末であって、前記メッセージが前記無線アクセスネットワークの１つ以上のアクセスエンティティと結びついた情報を含み、前記モバイル端末が、前記モバイル端末に保存されたデフォルト・レポート構成に基づいて、前記情報を前記無線アクセスネットワークに送るように構成されるモバイル端末を提供する。
【００１８】
別の実施形態は、無線アクセスネットワーク内のノードであって、共通アクセスチャンネル上のモバイル端末からメッセージを受信して、処理するように構成されたノードであり、前記メッセージが前記無線アクセスネットワークの１つ以上のアクセスエンティティと結びついた情報を含み、前記情報が、モバイル端末に格納されているデフォルト・レポート構成に基づいている、ノードを提供する。
【００１９】
別の実施形態は、メッセージを共通伝送チャンネル上の無線アクセスネットワークに送るように構成されたモバイル端末であって、前記メッセージが前記無線アクセスネットワークの１つ以上のアクセスエンティティと結びついた情報を含み、前記モバイル端末が、前記モバイル端末に格納されたデフォルト・レポート構成に基づいて、前記情報を前記無線アクセスネットワークに送るように構成される、モバイル端末と、メッセージを受信して、処理するように構成される無線アクセスネットワーク内のノードと、を備える通信システムを提供する。
【００２０】
別の実施形態は、モバイル端末中のプロセッサにより実行されたときに、前記モバイル端末に、共通伝送チャンネル上の無線アクセスネットワークへメッセージを送るようにさせる命令セットであって、前記メッセージが前記無線アクセスネットワークの１つ以上のアクセスエンティティと結びついた情報を含み、前記情報が、モバイル端末に格納されているデフォルト・レポート構成に基づいている命令セット、を備える、コンピュータ・プログラム・プロダクトを提供する。
【００２１】
別の実施形態は、無線アクセスネットワークに送られるべき少なくとも1タイプの情報を定めているデフォルト・レポート構成を格納する格納手段であって、前記情報が前記無線アクセスネットワークの１つ以上のアクセスエンティティと結びついている、格納手段と、共通伝送チャンネル上の前記無線アクセスネットワークにメッセージを送るための伝達手段であって、前記メッセージがデフォルト・レポート構成で規定されるタイプの情報を含む、伝達手段と、を備えるモバイル端末を提供する。
【００２２】
別の実施形態は、モバイル端末で使用するための集積回路であって、前記モバイル端末に、共通アクセスチャンネル上の無線アクセスネットワークにメッセージを送ようにさせるのに適合している集積回路であり、前記メッセージが、無線アクセスネットワークの１つ以上のアクセスエンティティと結びついて情報を含み、前記情報が、モバイル端末に格納されているデフォルト・レポート構成に基づいている、集積回路を提供する。
【００２３】
望ましくは、前記メッセージが、前記無線アクセスネットワークへの接続要求、コアネットワーク・メッセージ、測定レポート・メッセージ、またはセル更新などの位置更新メッセージを含む。より望ましくは、メッセージは、ＲＲＣ接続要求メッセージ、セル更新メッセージ、測定レポートあるいは初期ダイレクト・トランスファー（Initial Direct Transfer）メッセージ、を含む。最も望ましくは、メッセージはＲＲＣ接続要求メッセージである。
【００２４】
モバイル端末は、典型的には、前記モバイル端末と前記無線アクセスネットワークとの間の専用の物理的伝送チャンネルを確立する前に、例えば、モバイル端末がＣＥＬＬ＿ＤＣＨ以外のＲＲＣ制御状態にある間に、前記モバイル端末が前記メッセージを送る。たとえば、1つの実施形態では、モバイル端末がＣＥＬＬ＿ＦＡＣＨ状態にある間に、メッセージが送られる可能性がある。
【００２５】
望ましくは、例えば接続要求中のメッセージでモバイル端末によって送られる情報は、１つ以上の測定結果を含む。各測定結果が、前記モバイル端末とアクセスエンティティとの間の無線信号伝達に係る測定パラメータの値を規定する
【００２６】
より望ましくは、測定パラメータは、ＲＳＣＰ（Received Signal Code Power)、信号対妨害比(signal to interference ratio)、またはＯＴＤ(Observed Time Difference)を含む。測定パラメータは、望ましくは、モバイル端末にサービスする第１のアクセスエンティティ及び／又は、第１のアクセスエンティティに隣接する１つ以上のさらなるアクセスエンティティに関する。このように、当該情報は、サービス・アクセスエンティティに関するＲＳＣＰの第１の測定値を含むことができる。いくつかの実施例では、当該情報は、さらに、Ｅｃ／Ｎｏの第２の測定値と、ＳＦＮ−ＳＦＮ  ＯＴＤ（SFN-SFN Observed Time Difference、ＳＦＮ間観測時間差)タイプ１の第３の測定値を含む。第２と第３の測定値の各々は、第１のアクセスエンティティに隣接した更なるアクセスエンティティに関する。
【００２７】
接続要求などのメッセージは、望ましくは、モバイル端末が、モバイル端末に無線アクセスネットワークから送られる制御メッセージを読む前に、送られる。前記制御メッセージが、前記無線アクセスネットワークの１つ以上のアクセスエンティティと結びついた情報をレポートするための要求されたレポート構成を規定する。より望ましくは、モバイル端末が無線アクセスネットワークから制御メッセージを受信する前に、当該モバイル端末が当該メッセージを送る。
【００２８】
制御メッセージは、望ましくは、システム情報ブロックタイプ１１メッセージを含む。いくつかの実施例では、モバイル端末が接続要求などのメッセージを送る前に、無線アクセスネットワークはモバイル端末に指標を送ることができる。当該指標は、モバイル端末が制御メッセージを読む前に、当該モバイル端末が接続要求などのメッセージを送ることができることを規定する。
【００２９】
望ましくは、無線アクセスネットワークは、ＵＴＲＡＮ（Universal Mobile Telecommunications System Terrestrial Radio Access Network）を備える。共通伝送チャンネルは、望ましくは、ＲＡＣＨ（ランダムアクセス・チャンネル）である。すなわち、モバイル端末は望ましくは、ＲＡＣＨを使って要求を送る。
【００３０】
本発明の実施形態は、共通伝送チャンネルについてセル関連情報をレポートするための強化された方法を提供できることが有利な点である。たとえば、モバイル端末と無線アクセスネットワークとの間の専用の物理的伝送チャンネルを確立する前、接続手続きの間のＲＡＣＨについてである。アクセスエンティティ関連情報のデフォルト・レポート構成がモバイル端末で定められるので、無線アクセスネットワークから、要求レポート構成の定義を受信し処理するのを、端末が待つ必要がない。モバイル端末がメッセージを送ることができる前の、たとえば、モバイル端末がアクセス要求を始めることができる前において、このことは、たとえば、接続要求メッセージ、セル更新あるいは他のタイプのメッセージを共通伝送チャンネル上に送信する前において、ＳＩＢ１１（System Information Block Type 11）メッセージで規定されているように、要求レポート構成を受信し読み取る端末に結びついた遅延を減少することができる。
【００３１】
このような遅延を減少することは、モバイル端末が新しいアクセスネットワークに接続したい場合や、異なるセル領域にローミングし、新しいノードに接続する必要がある場合など、多くの場合に有利である。加えて、特定のセルにおける信号伝達特性がこれに適切である場合には、可能な最も初期の段階で、サービスするセルおよび隣接するセルからのセル結果をレポートすることは、ＲＡＮができるだけ早くシステムハンドオーバーを開始することを可能にする。加えて、構成されていない検出されたセルのセル結果のレポートは、正しく構成されていない隣接セルを同定するネットワークプラニンングにおいて有効である。
【００３２】
以下、特定の実施形態を参照しながら本発明について説明するが、例として示すに過ぎない。
【発明を実施するための最良の形態】
【００３３】
図１を参照して、本発明の実施形態が利用される可能性があるＵＭＴＳ(Universal Mobile Telecommunication System)の例が、概略的に図示される。
【００３４】
図１において、ＵＴＭＳ無線アクセスネットワーク（ＲＡＮ）は、例えば、ノードＢ７、８および９など、複数のノードＢを含む。各ノードＢは、ＲＮＣ（radio network controller）に接続している。ノードＢ８および９はＲＮＣ３に接続し、ノードＢ７はＲＮＣ４に接続している。各ＲＮＣは、コアネットワーク（ＣＮ）２に接続している。コアネットワークは、さらに、例えば、ＩＳＤＮネットワークまたはパケットデータ・ネットワーク（図示せず）など、外部ネットワークに接続していてもよい。種々のモバイル端末が、ユーザ機器（ＵＥ）２０で表されるように、無線アクセスネットワークにある。
【００３５】
各々のノードＢ７、８および９は、そのノードＢがモバイル端末にサービスする特定のセルまたは地理的エリアと結びついたものであることができる。このように、各ノードＢは、そのセルの中で、モバイル端末からのメッセージを送受信することができる。セルエリアは、モバイル端末が２以上のノードＢと同時に通信できるようにオーバーラップする。
【００３６】
ＵＴＲＡＮは、ランダムアクセス・チャンネル（ＲＡＣＨ）を備えることができる。ＲＡＣＨは、ＰＲＡＣＨ（Physical Random Access Channel）上にマップされる。それは、例えば、ＲＲＣ（radio resource control）接続の設定要求などのＣＣＣＨ（Common Control Channel）などのアップリンク制御情報を伝える。さらに、専用制御情報、すなわち、ＵＥとネットワークに間で、ＲＲＣ接続設定手続きを経て確立した、ＤＤＣＨ(Dedicated Control Channel)を伝えることもできる。ＲＡＣＨは、さらに、少量のアップリンク・パケット・データのような専用のユーザ情報、すなわち、ＤＴＣＨ（Dedicated Traffic Channel）を送るために使われる。
【００３７】
ＵＴＲＡＮ１は、その領域内のモバイル端末に種々のシステム情報ブロックをブロードキャストする。これらの情報ブロックは、ノードＢ７、８および９によって、それらのそれぞれのセルの中に位置するモバイル端末に送られる。図１の中のユーザ機器２０は、１つ以上のノードＢ７、８と９によって送られる情報ブロックを受けることができる。ＵＴＲＡＮから送られる種々のシステム情報ブロックが、図２（メッセージ２１ないし２５）に示される。
【００３８】
ＵＥ２０が、ＵＴＲＡＮ１により提供される資源を使いたい場合には、ＵＥ２０は、ノードＢを介してＵＴＲＡＮにＲＲＣ（Radio Resource Control）接続要求メッセージ３０を送ることによって、ＲＡＣＨアクセスを開始する。メッセージ３０は、ノードＢ７、８ないし９がサービスする１つ以上のセルと関連した情報を含むことができ、それはセルレポート情報と呼ぶことができる。具体的には、メッセージ３０は、電力あるいはユーザ設備と各ノードＢとの間の通信の他の設定を決定するのに使用できる、あるいは、ユーザ設備にサービスするための特定セルの適合性を特徴づける測定結果を含むことができる。たとえば、その結果は、ＲＳＣＰ（Received Signal Code Power)、Ｅｃ／ｌｏ（信号対妨害比の単位）、各パラメータが前記モバイル端末とアクセスエンティティとの間の無線信号伝達に関連するＯＴＤ（Observed Time Difference）、のようなパラメータを含むことができる。測定は、ユーザ機器よって行う、または、ネットワーク内の別のノードによって行う（次にそのノードからユーザ機器まで送られる）ことができる。
【００３９】
本発明の実施形態によれば、メッセージ３０で送られる情報のセルレポートは、ユーザ機器に保存されるデフォルト・レポート構成に基づいている。これは、ユーザ機器２０がどの種類の情報（すなわち、特定セルの受信信号電力またはＥｃ／ｌｏ測定結果）を、ＲＲＣ接続要求中のＵＴＲＡＮに向かって、ＵＴＲＡＮによる特定タイプの情報を送信しろとの指示を受けることなく、送るべきかについて決定することができることを意味する。
【００４０】
このように、図２で示すように、ユーザ機器２０は、それがＵＴＲＡＮからシステム情報ブロック１１（図２では、４０とラベルされている）を受け取る前に、メッセージ３０を送る。他の実施形態では、ＳＩＢ１１メッセージ（４０）を受けたあと、ユーザ機器がメッセージ３０を送ることができるが、メッセージ４０を処理する前である。ＳＩＢ１１メッセージは、ＵＴＲＡＮによって定義される要求セルレポート構成を含む。
【００４１】
本発明のいくつかの実施例では、デフォルトのセルレポート構成は、ユーザ機器が、サービスするセルのＲＳＣＰ（Received Signal Code Power、受信信号コード電力）をレポートすること（ダウンリンク電力を設定するため）、および他の測定された任意のセルのＥｃ／ｌｏをレポートすることを定める。さらに特定の実施形態では、ユーザ機器は、他の測定セルのそれぞれのＳＦＮ−ＳＦＮ  ＯＴＤ（SFN-SFN Observed Time Difference、ＳＦＮ間観測時間差)データを追加的にレポートすることができる。他の実施形態では、ユーザ機器は、たとえば、測定セルのなかで最も強い規定された数のセルだけのように（例えば、最も強いＲＳＣＰ（Received Signal Code Power、受信信号コード電力）を有するか、最も高い信号妨害比を有する）、測定セルのあるサブグループのみに対しセル結果を選択し、レポートすることができる。
【００４２】
次に、ＲＲＣ接続設定手続きが、ユーザ機器２０にＲＲＣ接続設定メッセージ５０を送っているＵＴＲＡＮによって進められる。
【００４３】
ユーザ機器２０は、ＵＴＲＡＮにＲＲＣ接続設定完了メッセージ６０を送ることによって応答する。当該ユーザ機器２０は、ＵＴＲＡＮからの特定のセルレポート構成が要求されたといういかなる指標をも受け取るのを待つことなく、デフォルトで、ＲＲＣ接続要求を送信するように、特定の実施形態により構成される。言い換えると、ＲＡＣＨアクセスを始める前には、ユーザ機器がＵＴＲＡＮから要求レポート構成を受け取る必要もなく、また、要求レポート構成を受けることために待たなければならないかどうかをＵＴＲＡＮがユーザ機器に知らせる必要もない。
【００４４】
他の実施形態では、ユーザ機器は、以前にＵＴＲＡＮからブロードキャストされた情報から、ＲＲＣ接続要求を送信する前に、要求レポート構成を通知されるのを待たなければならないか否かを判断するように構成される。たとえば、ＵＴＲＡＮ１は、ＳＩＢ１１メッセージを読む前にメッセージ３０に送ることができるユーザ機器に、指標を送ることができる。この指標は、ＵＴＲＡＮ１から他のシステム情報ブロック・ブロードキャストのうちの１つ、例えば、システム情報ブロックタイプ３（図２において、２４とラベルされている）に含まれることができる。
【００４５】
ユーザ機器は、たとえばＳＩＢ１１内にある、ＵＴＲＡＮにより規定された要求レポート構成を読み取ったかどうかを確認するＵＴＲＡＮに送信するＲＲＣ接続設定完了メッセージ中に指標を含むことができる。
【００４６】
モバイル端末またはユーザ機器２０は、データメモリのような格納手段を備えることができる。格納手段は、コンピュータプログラム・コード製品を格納するのに適合するように適切に構成することができる。ユーザ機器２０は、プロセッサのような処理手段を更に含むことができる。ユーザ機器は、追加的に、たとえば送受信機を備えるトランシーバー手段を備えることができる。コンピュータプログラム・コード製品は、それがプロセッサ手段で実行されるときに、ユーザ機器が上述したような本発明の実施形態の方法を実行するようにするのに適合することができる。
【００４７】
プログラム・コード製品は、キャリヤー・ディスク、カードまたはテープなどのキャリヤー媒体に格納し、提供することができる。プログラム・コード製品は、データ・ネットワークを介してモバイル機器にダウンロードすることができる。
【００４８】
他の実施形態では、本発明の方法は、プログラム・コード手段の代わりに、または、それに加えて専用のハードウェアコンポーネントを使って実装することができる。たとえば、モバイル端末は、モバイル端末が接続要求を、モバイル端末に格納されるデフォルト・レポート構成に基づいて、無線アクセスネットワークに送らせるように動作する１つ以上の集積回路を備えることができる。
【００４９】
同様に、ノードＢあるいはＲＮＣのような無線アクセスネットワーク内の要素およびノードは、対応するストレージと、プロセッサ及び／または送受信手段とを備えることができ、本発明の実施形態におけるそれぞれの操作を実行するプログラム・コード手段により適切に構成することができる。無線アクセスネットワークのノードは、本発明の実施形態におけるステップを実行させるのに適合した集積回路のような専用のハードウェアコンポーネントも備えることができる。
【００５０】
本発明が特定の実施形態に関して上で記述されたが、当業者が、そこから種々に修正し発明を行うことができることはいうまでもない。具体的には、上の実施形態は、ＵＴＲＡＮを備えている第３世代（３Ｇ）ＵＭＴＳ通信システムに関して記述された。本発明は、しかしながら、そのようなシステムに限られるものではなく、他の実施形態では、他のタイプの通信システムで実行することができる。
【００５１】
さらに、特定の例の多くは、共通伝送チャンネル上に移動局によって送られるメッセージが接続要求メッセージである実施形態に関するものである。上に述べたように、本発明はそのような実施形態に限られておらず、他の実施形態では、例えば、専用の物理チャンネルが移動局とＲＡＮとの間で確立される前に、共通伝送チャンネル上の移動局から送られる他のタイプのどんなメッセージであってもよい。たとえば、1つの実施形態において、メッセージは、モバイル端末が、ＣＥＬＬ＿ＰＣＨH状態におけるページング・メッセージを受信した後に、送られるセル更新メッセージである。
【図面の簡単な説明】
【００５２】
【図１】本発明の実施形態がインプリメントされたＵＴＲＡＮを備える通信システムを示す図である。
【図２】本発明の１つの実施形態を図示するシグナリング図である。
【図１】
2009540722.tif 000003
【図２】
2009540722.tif 000004
【国際調査報告】
2009540722.tif 000005
2009540722.tif 000006
2009540722.tif 000007